(57)【要約】本発明は、プリントヘッドカートリッジ（２２２）と、一意のプリントヘッドカートリッジ識別子と、コンピュータ（２４０）に電気接続されたプリントヘッド（３０４）とを有する印刷サブシステムを備えるプリンタによって文書が印刷されたことを検証する方法（１０２−１０８）およびプリンタシステム（２０２−２４０）ソフトウェア（２５０）を提供する。本方法は、前記一意のプリントヘッドカートリッジ識別子を用いて電子形態文字から成る一意の合成文書ＩＤをコンピュータ（２４０）で生成すること（１０２）と、前記一意の合成文書ＩＤを上記印刷サブシステムに送信して前記文書の各印刷媒体シートに印刷すること（１０４）とを含む。【選択図】図２
2004511357.tif 000002
【特許請求の範囲】
【請求項１】
原本の印刷文書であることを検証可能な文書を印刷するプリンタであって、一意のプリントヘッドカートリッジ識別子を有するプリントヘッドカートリッジ（２２２）を備えるプリントヘッド（３０４）を含み、前記プリントヘッド（３０４）がプリンタコンピュータ（２４０）から信号を受信するコントローラ（２０４）に接続され、前記プリンタコンピュータ（２４０）は一意の合成文書ＩＤを生成するとともに前記コントローラ（２０４）に信号を送信して前記一意の合成文書ＩＤを所定の合成文書ＩＤ位置決めに従ってプリントヘッドに印刷させ、文書の各印刷媒体シートが前記プリンタコンピュータに接続された位置制御装置（２１４）から位置制御信号を受信するプラテンモータ（２０６）によってさらに位置決めされる、プリンタ。
【請求項２】
ａ）前記一意の合成文書ＩＤが前記一意のプリントヘッドカートリッジ識別子のシリアル番号、型番、前記文書を印刷している企業、及び、前記文書が印刷される媒体のうちの少なくとも１つを含むこと、
ｂ）前記一意の合成文書ＩＤが前記文書が印刷された日付を含むこと、
ｃ）前記一意の合成文書ＩＤが前記文書が印刷された時刻を含むこと、
ｄ）前記一意の合成文書ＩＤが前記文書の前記各印刷媒体シートの裏面に印刷されること、
ｅ）前記一意の合成文書ＩＤが前記文書の前記各印刷媒体シートの表面に印刷されることと、
ｆ）前記一意の合成文書ＩＤが前記文書の前記各印刷媒体シートの表面と裏面とに印刷されること、
ｇ）前記一意の合成文書ＩＤが前記コンピュータに接続された／前記コンピュータ内にある記憶媒体／メモリに格納されること、
ｈ）前記一意の合成文書ＩＤが人間により読み取り可能であること、
ｉ）前記一意の合成文書ＩＤが機械で読み取り可能であること、
ｊ）前記一意の合成文書ＩＤが前記文書のさらなるコピーの印刷の各々について前記文書のコピーの各印刷媒体シートに対するコピー番号の指示を含み、前記コピー番号の指示が数字、英文字、ローマ数字、及び、色の異なる文字の組み合わせのうちの少なくとも１つであること、
ｋ）前記一意の合成文書ＩＤが前記プリントヘッドカートリッジを識別可能な位置合わせマークを含み、該位置合わせマークが各印刷媒体シートの表面および裏面のうちの少なくとも一方に印刷されること、並びに、
ｌ）前記一意の合成文書ＩＤが拡大すると識別可能になる異常／傷跡を含み、該異常／傷跡が各印刷媒体シートの表面および裏面のうちの少なくとも一方に印刷され、該異常／傷跡は損なわれることなく複写することができないものであること、
のうちの少なくとも１つをさらに含む、請求項１のプリンタ。
【請求項３】
一意のプリントヘッドカートリッジ識別子を用いて電子形態文字からなる一意の合成文書ＩＤをコンピュータで生成するステップと、
前記一意の合成文書ＩＤを印刷サブシステムに送信して文書の印刷媒体シートに印刷するステップと、
を実施することによって、指定されたプリンタを用いて原本の文書が印刷されたことを検証するためのコンピュータ実行可能命令（２５０）を有するコンピュータ読取可能媒体。
【請求項４】
前記ステップは、所定の位置合わせマークを生成し、該所定の合成位置合わせマークを前記印刷サブシステムに送信して前記文書の各印刷媒体シートに印刷することをさらに含む、請求項３のコンピュータ読取可能媒体。
【請求項５】
前記ステップは、少なくとも１つの所定の傷跡／意図的異常を生成し、該所定の合成傷跡／意図的異常を前記印刷サブシステムに送信して前記文書の各印刷媒体シートに印刷することをさらに含む、請求項３のコンピュータ読取可能媒体。
【請求項６】
文書が一意のプリントヘッドカートリッジ識別子を有するプリントヘッドカートリッジとコンピュータに電気接続されたプリントヘッドとを有する印刷サブシステムを備えたプリンタを用いて印刷されたことを検証する方法であって、
ａ）一意のプリントヘッドカートリッジを用いて電子形態文字から成る一意の合成文書ＩＤを前記コンピュータで生成するステップ（１０２）と、
ｂ）前記一意の合成文書ＩＤを印刷サブシステムに送信して前記文書の各印刷媒体シートに印刷するステップ（１０４）とを含む方法。
【請求項７】
ａ）前記一意の合成文書ＩＤに前記一意のプリントヘッドカートリッジ識別子のシリアル番号、型番、前記文書を印刷している企業、及び、前記文書が印刷される媒体のうちの少なくとも１つを含めるステップと、
ｂ）前記一意の合成文書ＩＤに前記文書に印刷された日付を含めるステップと、
ｃ）前記一意の合成文書ＩＤに前記文書に印刷された時刻を含めるステップと、
ｄ）前記一意の合成文書ＩＤを前記文書の前記各印刷媒体シートの裏面に印刷することをさらに含むステップと、
ｅ）前記一意の合成文書ＩＤを前記文書の前記各印刷媒体シートの表面に印刷することをさらに含むステップと、
ｆ）前記一意の合成文書ＩＤを前記文書の前記各印刷媒体シートの表面および裏面に印刷することをさらに含むステップと、
ｇ）前記一意の合成文書ＩＤを記憶媒体／メモリに格納するステップと、
ｈ）前記一意の合成文書ＩＤが人間により読み取り可能であるステップと、
ｉ）前記一意の合成文書ＩＤが機械で読み取り可能であるステップと、
ｊ）前記一意の合成文書ＩＤが前記文書のさらなるコピーの印刷の各々について前記文書のコピーの各印刷媒体シートに対するコピー番号の指示を含み、前記コピー番号の指示が数字、英文字、ローマ数字、及び、色の異なる文字の組み合わせのうちの少なくとも１つであるステップと、
ｋ）前記プリントヘッドカートリッジを識別可能な位置合わせマークを、各印刷媒体シートの表面および裏面のうちの少なくとも一方に印刷すること（１０６）をさらに含むステップと、
ｌ）請求項１に記載の方法であって、拡大すると識別可能になる異常／傷跡を、各印刷媒体シートの表面および裏面のうちの少なくとも一方に印刷するステップ（１０８）であって、前記異常／傷跡は損なわれることなく複写することができないものである、ステップと、
のうちの少なくとも１つをさらに含む、請求項６の方法。
【発明の詳細な説明】
【０００１】
【発明の属する技術分野】
本発明は概して機密文書印刷に関するものであり、詳しくは、原本であることを示すとともにコピー番号を識別することもできる世界的に一意な識別子を設け、文書から作成した印刷物の番号登録を設け、その文書が原本であるか否かを示す傷跡および位置合わせマークを設けるためのシステムに関する。
【０００２】
【従来の技術】
インターネットは、インターネットシステムに接続されたいずれのコンピュータに対しても、電子文書の高速な伝達を可能にしている。検索エンジンによって、複数の個々のコンピュータユーザは、多数のデータベースおよび電子図書館を識別しそれらにアクセスすることができる。文書に対するこのような簡単なアクセスにより、文書の全く同じコピーを即座に得ることが可能である。
【０００３】
多くの場合、ある文書が原本であるか否かを判定することが望ましい場合があり、その文書が２部以上印刷されている場合には、いずれの印刷物が手元にあるか、すなわち、それが最初の印刷物であるか、２番目の印刷物であるか等を判定することが望ましい場合がある。原本の識別には様々な方法が用いられている。例えば、文書の特定行間のラインピッチ即ち行間をわずかに変更する場合がある。しかしながら、この方法には、ある形態の印刷テキストの行間に特定の空間が存在する場合、挿入することができる情報量は、情報を挿入するその空間に制限されるという制約がある。
【０００４】
ある文書が原本でないことを見分けるための他の方法は、行揃えを、典型的には左行揃えを、その文書を印刷したと思われるプリンタの既知の行揃えと比較することである。明らかに、フォントを比較することもできる。
【０００５】
しかしながら、ある文書が原本を印刷したものであることを検証するための信頼性の高い方法、プリンタ、およびシステムが必要とされている。
【０００６】
発明の概要
本発明は、ある文書が一意のプリントヘッドカートリッジ識別子を有するプリントヘッドカートリッジとコンピュータに電気的に接続されたプリントヘッドとを有する印刷サブシステムを備えたプリンタを用いて印刷されたことを検証する装置および方法を提供する。このコンピュータは、一意のプリントヘッドカートリッジ識別子を用いて、電子形態文字から成る一意の合成文書ＩＤを生成する。この一意の合成文書ＩＤは、印刷サブシステムに送信され、文書の各媒体シートに印刷される。
【０００７】
【発明の実施の形態】
本発明は、ある文書が特定のプリンタによって印刷されたことを検証し、必要であれば更に、文書の原本の各々に検証マークを付けることもできる方法、プリンタ及びシステムを提供する。本方法は、ある文書が一意のプリントヘッドカートリッジ識別子を有するプリントヘッドカートリッジとコンピュータに電気的に接続されたプリントヘッドとを有する印刷サブシステムを備えたプリンタを用いて印刷されたことを検証する。図１のフロー図に示すように、本発明による方法の一実施形態は、一意のプリントヘッドカートリッジ識別子を用いて電子形態文字から成る一意の合成文書ＩＤをコンピュータで生成するステップ（１０２）と、前記一意の合成文書ＩＤを印刷サブシステムに送信して文書の各印刷媒体シートに印刷するステップ（１０４）とを含む。必要であればこれらのステップには、所定の合成位置合わせマークを生成し（１０６）、該所定の合成位置合わせマークを印刷サブシステムに送信して文書の各印刷媒体シートに印刷するステップをさらに含めることができる。また、必要であればこれらのステップには、少なくとも１つの所定の合成傷跡／意図的異常を生成し（１０８）、該所定の合成傷跡／意図的異常を印刷サブシステムに送信して文書の各印刷媒体シートに印刷するステップをさらに含めることもできる。
【０００８】
一実施形態では、一意の合成文書ＩＤは一意のプリントヘッドカートリッジ識別子のシリアル番号を少なくとも含み、当技術分野で既知のように生成することができる。また、一意の合成文書ＩＤには、その文書が印刷された日付及び／又は時刻を含めることもできる。明らかに、この一意の合成文書ＩＤは、任意の所望の識別可能な構成要素から構成することができる。合成文書ＩＤは、文書の表面または裏面に印刷され、あるいは両面に印刷することもできる。好ましい実施形態では、一意の合成文書ＩＤは、内容を印刷する前に印刷媒体シートに印刷される。必要であれば、この一意の合成文書ＩＤは記憶媒体に格納することもできる。実施形態によっては、人間が読み取り可能な一意の合成文書ＩＤをユーザが選択できるようにする場合もある。人間が読み取り可能な合成文書ＩＤの代替として、あるいはそれと組み合わせて、機械読み取り可能な一意の合成文書ＩＤを実施することもできる。例えばバーコード読み取り可能な、又は、他の何らかの望ましい機械読み取りが可能な、一意の合成文書ＩＤを用いることができる。
【０００９】
さらに、必要であれば合成文書ＩＤには、文書のいずれのコピーが印刷されたかを示す指示を含めることができる。たとえば、文書の原本印刷物に００００００１０−００００−００１０−８０００−００ＡＡ００６Ｄ２ＥＡという一意の合成文書ＩＤを与える（さらに、個々の文字色を異なるものにして、視覚的なデータ符号化にすることができる）。
【００１０】
一実施形態では、最初のコピーを００００００１０−００００−００１０−８０００−００ＡＡ００６Ｄ２ＥＡ．１で表し、２番目のコピーを００００００１０−００００−００１０−８０００−００ＡＡ００６Ｄ２ＥＡ．２で表し、以下同様に表すことができる。このように、一意の合成文書ＩＤには一意のシリアル番号を用いることができ、例えば図４に示すようにユーザが原本をコピーまたはファックスする場合、原本をファクシミリ送信したことの証明として、角４０２を折り曲げることにより一意のシリアル番号を提示することができる。明らかに、その後のコピーは、アラビア数字、ローマ数字、英文字、又は、任意の所望の指示で表すことができる。
【００１１】
好ましい実施形態では、各ページまたは印刷ＵＩＤがＲＡＭ内のカウンタをインクリメントするので、連続して原本を印刷するための次の印刷要求は、番号（ＵＩＤ）が変更されて、次の印刷を反映する。
【００１２】
新たな番号を印刷する際に「日付／時刻」が異なることは不可欠ではない。
【００１３】
例えば、コピー２、３、４、・・・はすべて１の後に印刷されるが、ＵＩＤは要求にわたって同じである。マルチコピー印刷システムでは、複数のジョブが同時に印刷される可能性がある場合、プリンタ／印刷システム内の各印刷ジョブを識別する必要がある。
【００１４】
「プリンタのシリアル番号」、製造業者、および型番がＵＩＤ符号に含まれるので、偽造を見つける際に「印刷品質」を比較することができる。ＵＩＤは、印刷システム及びその印刷システムの印刷時の既知の異常に関する重要な情報を含む。
【００１５】
印刷要求によってＵＩＤに含められる情報（ＪＯＢ　ＩＤ等）が与えられると、ＵＩＤ番号は印刷を要求するユーザにとって意味を持つようになる。例えば上記のＵＩＤ：００００００１０−００００−００１０−８０００−００ＡＡ００６Ｄ２ＥＡの例では、印刷を要求しているコンピュータから得たジョブ番号が１０の場合に、ＪＯＢ　ＩＤを００００００１０にしている。プリンタ（又はプリンタ内のコントローラ）は、残りのＵＩＤを生成する。必要であれば、ＵＩＤは、一意のプリントヘッドカートリッジ識別子のシリアル番号、型番、文書を印刷している企業、及び、文書が印刷される媒体のうちの１以上を含むように選択することができる。
【００１６】
選択される場合、プリントヘッドカートリッジを識別することができる位置合わせマークを、各印刷媒体シートの正面、裏面、または両面に印刷することもできる。位置合わせマークは通常、文書ページの両面に印刷され、光にかざすと揃って見えるようになっていて、意図的傷跡と併せてそのページが原本であることの証明になる。ＨＰ９７０は、媒体位置合わせマークを両面印刷するために用紙を回転した後、フォトスキャナを用いてその用紙の位置を感知することによって位置合わせマークを正確に配置する。位置合わせマークの印刷に用いるプリンタは、例えばＨＰ９７０等のインクジェットプリンタでもよいし、あるいは位置合わせマークを正確に配置できるものであれば任意の他のプリンタでもよい。
【００１７】
さらに、拡大すると識別することができるようになる異常、すなわち「傷跡」を印刷することもできる。この異常には、例えば文書の区別を可能にする所定の行間や字間などを用いることができる。たとえば、Ｈｅｗｌｅｔｔ Ｐａｃｋａｒｄ社が製造するＨＰ９７０は、用紙の縁を感知し、プリントヘッド自体を１／１２００インチ以内で位置決めし、「傷跡」を印刷することができるプリントヘッド位置決め機構を備えている。ＨＰ９７０は用紙の縁にも印刷することができ、縁マークは写真複写機その他の複写装置では切り落とされてしまうことが多いので、原本文書の識別に縁マークを用いることもできる。通常、このような傷跡は拡大しなければ見ることができない。例えば「傷跡」には、水平行および垂直行の行間や、実際には小さな星形のピリオドであるが写真複写するとピリオドに見えるものなどを用いることができ、すなわち、写真複写機はそれらの異常を損なうことなく複写することができない。この場合も、これらの異常すなわち「傷跡」は、各印刷媒体シートの表面、裏面、または両面のいずれに印刷することもできる。
【００１８】
このように、本発明は、原本印刷物にマークを付けるソフトウェアによって実施することができる。このソフトウェアは、傷跡（偽造防止）や意図的異常をページに印刷するようにプリンタに指示する。傷跡は、一般的な写真複写機その他の複写装置では検出することができないものにする。また、ソフトウェアは、一意の合成文書ＩＤを文書のページ／印刷媒体シートの少なくとも片面に印刷させる。また、原本のコピーから原本を容易に区別できるようにするため、文書ページの表面および裏面に位置合わせマークがあってもよい。プリンタは、典型的には再設定不可能なプリンタ内の小容量フラッシュＲＡＭを用いることにより、各シリアル番号／合成文書ＩＤを一度だけしか使用できないように設定される。
【００１９】
図２は、本発明の実施に利用可能なインクジェットプリンタ／システム２００の一実施形態を示すブロック図である。インクジェットプリンタ２００は、電源２０２と、プロセッサ好ましくはマイクロコントローラまたはマイクロプロセッサを含む液滴射出制御装置２０４と、プラテンモータ２０６と、ローラバー２１０によってプラテンモータ２０６に連結された少なくとも１つのローラ２０８と、メモリ（ＲＡＭを含む）２１２と、メモリ２１２およびプラテンモータ２０６に接続された位置制御装置２１４と、位置制御装置２１４に接続されたキャリッジモータ２１６とを含み、これらがすべてマイクロプロセッサを含むコンピュータ２４０の制御下にあることが好ましい。インクジェットプリンタ２００は電源２０２および液滴射出制御装置２０４に接続されたキャリッジ２１８をさらに含み、キャリッジ２１８は少なくとも１つのプリントカートリッジ２２２を含む。キャリッジ２１８は、スライドバーに搭載され、キャリッジモータ２１６によって用紙等の印刷媒体２２４を横切って左右に往復移動、すなわち走査することができるようになっている。走査方向Ｘは矢印２３０で図示している。プラテンモータ２０６およびキャリッジモータ２１６は位置制御装置２１４の制御下にあり、位置制御装置２１４は従来のハードウェア構成で実施することができ、メモリ２１２から動作命令が与えられる。キャリッジ２１８が移動するのに従って、各プリントカートリッジ２２２から印刷媒体シート２２４へ向けてインク滴が所定の印刷帯状領域パターンで選択的に射出され、ドットマトリックス処理を用いて画像または英数字が形成される。インク滴の飛翔方向Ｚは、矢印２３２で図示している。ドットマトリックス処理はコンピュータ２４０によって決まるものであり、コンピュータ２４０は命令を液滴射出制御装置２０４および電源２０２に送信する。一帯状領域の印刷が完了すると、媒体２２４がプラテンモータ２０６およびローラ２０８によって矢印２３４に示す印刷媒体方向に適当な距離だけ進められ、次の帯状領域の印刷を準備する。
【００２０】
本発明は、原本の印刷文書であることを検証することができる文書を印刷可能なプリンタを含み、該プリンタは一意のプリントヘッドカートリッジ識別子を有するプリントヘッドカートリッジを備えるプリントヘッドを含み、前記プリントヘッドがプリンタコンピュータから信号を受信するコントローラに接続され、プリンタコンピュータは一意の合成文書ＩＤを生成するとともに前記コントローラに信号を送信して前記一意の合成文書ＩＤを所定の合成文書ＩＤ位置決めに従ってプリントヘッドに印刷させ、文書の各印刷媒体シートが前記プリンタコンピュータに接続された位置制御装置から位置制御信号を受信するプラテンモータによってさらに位置決めされる。
【００２１】
一意の合成文書ＩＤには通常、一意のプリントヘッドカートリッジ識別子のシリアル番号が含まれ、いずれのプリンタが文書を印刷したか識別できるようになっている。一意の合成文書ＩＤのさらなる変形については上述したとおりである。また、位置合わせマークおよび傷跡を文書に印刷することもでき、これについてはより完全に上で説明している。図３は、本発明に従って図２のプリンタに用いることができるプリントヘッドを示す概略図である。カートリッジハウジングすなわちシェル３０２は内部インクリザーバ（図示せず）を含むものであるが、代替の実施形態として、プリントカートリッジ３２２が少なくとも１つの小量のオンボードインクチャンバを有し、インクチャンバが軸外にある連通するインクリザーバ（図示せず）から散発的に補充されるようにすることもできる。プリントカートリッジ２２２には、直下にくる射出チャンバ及び構造に合わせて作成された複数の孔すなわちノズル３０８を有するプレート３０６を備えたプリントヘッド３０４と、プリンタ２００に接続するための電気接点３１０とを設ける。各ノズル３０８は、プリントヘッド３０４内にあるインク滴発生器の一部である。通常、複数のノズル３０８が所定のパターンで配置されるため、ノズル３０８から射出されるインクは、印刷媒体シート２２４上に複数の文字または画像を印刷することができる。
【００２２】
図２および図３に示すように、本発明は、原本が指定のプリンタを用いて印刷されたことを検証するためのシステムによって実施することができ、本システムは、一意のプリントヘッドカートリッジ識別子を有するプリントヘッドカートリッジを有しコンピュータに電気接続されたプリントヘッドを有する印刷サブシステムを備える。この印刷サブシステムはプリンタコンピュータ２４０にある一意の合成文書ＩＤ生成システムを含み、プリンタコンピュータ２４０は、液滴射出制御装置２０４及び位置制御装置２１４に接続され、一意のプリントヘッドカートリッジ識別子を用いて電子形態文字から成る一意の合成文書ＩＤを生成し、印刷信号を液滴射出制御装置２０４に送信して、前記一意の合成文書ＩＤを印刷するための制御信号を液滴射出制御装置２０４に開始させ、プリンタコンピュータ２４０は、所定の合成文書ＩＤ位置決めに従う位置制御信号を位置制御装置２１４に対して生成する。プリンタコンピュータ２４０には、以下のステップを実施することにより指定されたプリンタを用いて原本が印刷されたことを検証するためのコンピュータ実行可能命令（検証ソフトウェア２５０）がロードされる。すなわち、一意のプリントヘッドカートリッジ識別子を用いて電子形態文字から成る一意の合成文書ＩＤをコンピュータで生成するステップ、及び、該一意の合成文書ＩＤを印刷サブシステムに送信して文書の各印刷媒体シートに印刷するステップである。液滴射出制御装置２０４は、プリントヘッド３０４に接続され、一意の合成文書ＩＤの印刷信号をプリントヘッド３０４へ送信するために使用される。プリントヘッド３０４は、液滴射出制御装置２０４、電源２０２、およびキャリッジモータ２１６に接続され、文書の各印刷媒体シートに一意の合成文書ＩＤを印刷するために使用される。キャリッジモータ２１６は、位置制御装置２１４に接続され、位置制御装置２１４からの信号に従ってプリントヘッド３０４を位置決めするために使用される。
【００２３】
位置制御装置２１４は、プラテンモータ２０６、キャリッジモータ２１６及びプリンタコンピュータ２４０に接続され、位置制御信号に応じてプラテンモータ２０６およびキャリッジモータ２１６を制御し、所定の合成文書ＩＤ位置決めに従って文書の各印刷媒体シートを位置決めする。
【００２４】
検証ソフトウェア２５０は、各文書についての一意の合成文書ＩＤの生成を制御し、必要であれば更に、位置合わせマークおよび／または傷跡の生成を行う。一意の合成文書ＩＤ、位置合わせマークおよび／または傷跡については上で説明した通りである。
【００２５】
明らかに、本発明は、本発明の方法のステップを有するコンピュータ媒体から命令をプリンタコンピュータにロードすることによって実施することができる。
【００２６】
本発明を特定の好ましい実施形態について説明してきたが、多くの変形、均等、修正、およびその他の用途が当業者には明らかであろう。本発明は、本発明が関係する分野内で既知の慣行の範囲内にある本発明の開示から発展させたものも含めて、本発明の原理に従ったあらゆる変形、均等、修正、およびその他の用途をカバーすることを意図している。したがって、本発明は、本明細書の特定の開示によって制限されることはなく、併記の特許請求の範囲によってのみ制限され、本発明が関係する分野内で既知の慣行の範囲内にある本発明の開示から発展させたものも含めて、本発明の原理に従ったあらゆる変形、均等、修正その他の用途を包含することが好ましい。
【図面の簡単な説明】
【図１】
本発明の方法によるステップの一実施形態を示すフロー図である。
【図２】
本発明の方法を実施するプリンタの一実施形態を示す概略図である。
【図３】
本発明に従って図２のプリンタで使用されるプリントヘッドを示す概略図である。
【図４】
本発明により文書の裏面に印刷された一意の合成文書ＩＤを示す概略図である。
【図１】
2004511357.tif 000003
【図２】
2004511357.tif 000004
【図４】
2004511357.tif 000005
【国際公開パンフレット】
2004511357.tif 000006
2004511357.tif 000007
2004511357.tif 000008
2004511357.tif 000009
2004511357.tif 000010
2004511357.tif 000011
2004511357.tif 000012
2004511357.tif 000013
2004511357.tif 000014
2004511357.tif 000015
2004511357.tif 000016
2004511357.tif 000017
2004511357.tif 000018
2004511357.tif 000019
2004511357.tif 000020
2004511357.tif 000021
2004511357.tif 000022
2004511357.tif 000023
【国際調査報告】
2004511357.tif 000024
2004511357.tif 000025
2004511357.tif 000026